(57)【要約】【課題】電子新聞の発行に必要なリソースを個人ユーザに提供し、複数の一般ユーザが記事の作成から編集までを一貫して行うことを可能にしたユーザ主導型電子新聞発行システムを提供する。【解決手段】ネットワークを利用した電子新聞の発行システムであって、複数のユーザからネットワークを介して記事の投稿を受け付ける手段と、前記ユーザ以外のユーザも対象とする複数のユーザが投稿した複数の前記記事の中から所望の記事を検索する手段と、前記ユーザ以外のユーザも対象とする複数のユーザが選択した記事を電子新聞の形式に編集する手段と、前記編集された電子新聞を公開する手段とを備える。【選択図】図１
2008052426.tif 000002
【特許請求の範囲】
【請求項１】
ネットワークを利用した電子新聞の発行システムであって、
複数のユーザからネットワークを介して記事の投稿を受け付ける手段と、
前記ユーザ以外のユーザも対象とする複数のユーザが投稿した複数の前記記事の中から所望の記事を検索する手段と、
前記ユーザ以外のユーザも対象とする複数のユーザが選択した記事を電子新聞の形式に編集する手段と、
前記編集された電子新聞を公開する手段とを備えたことを特徴とするユーザ主導型電子新聞発行システム。
【請求項２】
請求項１に記載のユーザ主導型電子新聞発行システムにおいて、
前記投稿を受け付ける手段により投稿したユーザと前記電子新聞の形式に編集する手段を利用したユーザの間の連絡を媒介する手段を備えたことを特徴とするユーザ主導型電子新聞発行システム。
【請求項３】
請求項１に記載のユーザ主導型電子新聞発行システムにおいて、
前記投稿を受け付ける手段により投稿したユーザと前記電子新聞の形式に編集する手段を利用したユーザの相互評価を行う手段を備えたことを特徴とするユーザ主導型電子新聞発行システム。
【請求項４】
請求項１に記載のユーザ主導型電子新聞発行システムにおいて、
前記電子新聞を公開する手段により公開された電子新聞を閲覧したユーザによる、前記投稿を受け付ける手段により投稿したユーザと前記電子新聞の形式に編集する手段を利用したユーザの評価を行う手段を備えたことを特徴とするユーザ主導型電子新聞発行システム。
【請求項５】
請求項１に記載のユーザ主導型電子新聞発行システムにおいて、
電子新聞のアクセス数および前記投稿を受け付ける手段により投稿したユーザと前記電子新聞の形式に編集する手段を利用したユーザの間の連絡履歴を管理する手段を備えたことを特徴とするユーザ主導型電子新聞発行システム。
【請求項６】
請求項１に記載のユーザ主導型電子新聞発行システムにおいて、
前記ユーザからの記事の投稿は、前記ユーザの指定するブログシステムから行われることを特徴とするユーザ主導型電子新聞発行システム。
【請求項７】
ネットワークを利用した電子新聞の発行管理方法であって、
複数のユーザからネットワークを介して記事の投稿を受け付ける工程と、
前記ユーザ以外のユーザも対象とする複数のユーザが投稿した複数の前記記事の中から所望の記事を検索する工程と、
前記ユーザ以外のユーザも対象とする複数のユーザが選択した記事を電子新聞の形式に編集する工程と、
前記編集された電子新聞を公開する工程とを備えたことを特徴とするユーザ主導型電子新聞発行管理方法。
【発明の詳細な説明】
【技術分野】
【０００１】
本発明は、複数の一般ユーザが記事の作成から編集までを一貫して行うことを可能にしたユーザ主導型電子新聞発行システムに関する。
【背景技術】
【０００２】
昨今、インターネットの普及により、鮮度の高い情報の入手が容易になってきており、紙媒体の新聞・雑誌とは異なる趣向の「オンラインマガジン」と呼ばれる電子新聞も種々提供されるに至っている。
【０００３】
当初は事業者が独自に取材・編集を行って発行を行う形態のオンラインマガジンが多かったが、最近では一般ユーザから記事を募り、事業者側で編集を行うタイプのオンラインマガジンも登場している（例えば、特許文献１参照。）。このような、いわゆるユーザ参加型の電子新聞では、事業者側とは異なる一般ユーザ独自の視点からの記事を提供できるため有用性の高いものとなっている。また、記事を投稿したユーザが熱心な読者となることで好循環が期待できる。
【特許文献１】特開２００２−２４４６７号公報
【発明の開示】
【発明が解決しようとする課題】
【０００４】
上述したように、一般ユーザから記事を募るユーザ参加型の電子新聞は有用性の高いものであるが、投稿された記事の採択およびその後の編集は事業者側において行われるものであり、編集方針等については必ずしも一般ユーザの視点に立ったものであるとは言えない面があった。また、事業者側において記事の採択および編集に要する人的コストも無視し得ないものであった。
【０００５】
一方、一般ユーザの中には、自ら記事を書いて投稿したいとは思わないが、独自の視点で電子新聞を編集してみたいと欲するものも少なからずおり、そのような能力に長けている者も相当数いると考えられる。そのような者の中には自ら電子新聞のサイトを立ち上げてみたいと欲する者もいるが、技術力やコストの点で現実的ではない。ブログ（Ｗｅｂ  Ｌｏｇ：日記風サイト）の普及により情報発信の機能が個人ユーザに開放されたが、電子新聞の編集機能については未だ個人ユーザには手の届かない領域にある。
【０００６】
本発明は上記の従来の問題点に鑑み提案されたものであり、その目的とするところは、電子新聞の発行に必要なリソースを個人ユーザに提供し、複数の一般ユーザが記事の作成から編集までを一貫して行うことを可能にしたユーザ主導型電子新聞発行システムを提供することにある。
【課題を解決するための手段】
【０００７】
上記の課題を解決するため、本発明にあっては、請求項１に記載されるように、ネットワークを利用した電子新聞の発行システムであって、複数のユーザからネットワークを介して記事の投稿を受け付ける手段と、前記ユーザ以外のユーザも対象とする複数のユーザが投稿した複数の前記記事の中から所望の記事を検索する手段と、前記ユーザ以外のユーザも対象とする複数のユーザが選択した記事を電子新聞の形式に編集する手段と、前記編集された電子新聞を公開する手段とを備えるユーザ主導型電子新聞発行システムを要旨としている。
【０００８】
また、請求項２に記載されるように、請求項１に記載のユーザ主導型電子新聞発行システムにおいて、前記投稿を受け付ける手段により投稿したユーザと前記電子新聞の形式に編集する手段を利用したユーザの間の連絡を媒介する手段を備えるようにすることができる。
【０００９】
また、請求項３に記載されるように、請求項１に記載のユーザ主導型電子新聞発行システムにおいて、前記投稿を受け付ける手段により投稿したユーザと前記電子新聞の形式に編集する手段を利用したユーザの相互評価を行う手段を備えるようにすることができる。
【００１０】
また、請求項４に記載されるように、請求項１に記載のユーザ主導型電子新聞発行システムにおいて、前記電子新聞を公開する手段により公開された電子新聞を閲覧したユーザによる、前記投稿を受け付ける手段により投稿したユーザと前記電子新聞の形式に編集する手段を利用したユーザの評価を行う手段を備えるようにすることができる。
【００１１】
また、請求項５に記載されるように、請求項１に記載のユーザ主導型電子新聞発行システムにおいて、電子新聞のアクセス数および前記投稿を受け付ける手段により投稿したユーザと前記電子新聞の形式に編集する手段を利用したユーザの間の連絡履歴を管理する手段を備えるようにすることができる。
【００１２】
また、請求項６に記載されるように、請求項１に記載のユーザ主導型電子新聞発行システムにおいて、前記ユーザからの記事の投稿は、前記ユーザの指定するブログシステムから行われるようにすることができる。
【００１３】
また、請求項７に記載されるように、ネットワークを利用した電子新聞の発行管理方法であって、複数のユーザからネットワークを介して記事の投稿を受け付ける工程と、前記ユーザ以外のユーザも対象とする複数のユーザが投稿した複数の前記記事の中から所望の記事を検索する工程と、前記ユーザ以外のユーザも対象とする複数のユーザが選択した記事を電子新聞の形式に編集する工程と、前記編集された電子新聞を公開する工程とを備えるユーザ主導型電子新聞発行管理方法として構成することができる。
【発明の効果】
【００１４】
本発明のユーザ主導型電子新聞発行システムにあっては、電子新聞の発行に必要なリソースを個人ユーザに提供し、記者と編集者の役割を持たせることで、複数の一般ユーザが記事の作成から編集までを一貫して行うことが可能となり、完全にユーザの視点に立った電子新聞とすることができる。
【発明を実施するための最良の形態】
【００１５】
以下、本発明の好適な実施形態につき説明する。
【００１６】
<システム構成>
図１は本発明の一実施形態にかかるユーザ主導型電子新聞発行システムの構成例を示す図である。
【００１７】
図１において、記事の受付から編集・発行までの機能を提供する電子新聞発行装置１はインターネット等のネットワーク２に接続され、ネットワーク２には複数の記者（リポータ）の操作するＰＣ（Personal Computer）、携帯電話等のクライアント３Ａと、複数の編集者（エディタ）の操作するＰＣ等のクライアント３Ｂと、複数の読者（リーダ）の操作するＰＣ、携帯電話等のクライアント３Ｃとが接続されている。
【００１８】
記者は、取材をもとに原稿を書いて記事として投稿するユーザであり、投稿数と採用数を競って対価（ポイント）を手に入れることができる。いい記事を書いて記者ランクを高めるため、皆の知らないことを書き、速報を書くことが求められる。記者としては、自分で情報を発信したい人、既にニュースを題材にしたブログを開設している人等が向いている。記者は、記者登録することで何らかの報酬を受け取ることができる、自分の書いた記事が多くの人の目に触れる、ブラウザやメールソフトを使って簡単に投稿することができる、編集者との間でコミュニケーションを図ることができる等のメリットがある。
【００１９】
編集者は、投稿された記事の中から取捨選択し、パネル（電子新聞）に掲載するユーザであり、こまめに記事を採用・編集（電子新聞を更新）し、評価を得ることで対価（ポイント）を手に入れることができる。高いテーマ性を持ち、早く記事を見つけることが要求される。編集者としては、市民メディアに興味を持つ人、自分で記事を書く力はないが何らかの情報を発信したい人、コアなテーマ（地域なども含む）に興味を抱く人、アフィリエイトに興味をもつ人等が向いている。編集者は、自分で記事を書かなくても情報を発信でき、記者との間でコミュニケーションを図ることができるメリットがある。
【００２０】
読者は、電子新聞を読む者であり、記事に対して評価やコメントができることが望ましい。
【００２１】
図１において、電子新聞発行装置１は、クライアント３Ａ〜３Ｃおよび記者の指定するブログシステム（図示せず）等との間でネットワーク２を介して通信を行う通信制御部１０１と、記者の操作するクライアント３Ａもしくは記者の指定するブログシステム等から記事の投稿を受け付ける記事投稿受付部１０２と、投稿された複数の記事の中から所望の記事を検索する機能を提供する記事検索部１０３と、選択した記事に基づいて電子新聞を編集する機能を提供する記事編集部１０４とを備えている。
【００２２】
また、電子新聞発行装置１は、記者と編集者の間の連絡をメッセージング等により行う機能を提供する記者編集者間連絡部１０５と、編集の完了した電子新聞を公開する機能を提供する電子新聞公開部１０６と、編集者が記者を、記者が編集者を、読者が記事（記者、編集者）を評価する機能を提供する評価部１０７と、電子新聞のアクセス数、記者と編集者の間の連絡履歴等を管理するアクセス数・足あと管理部１０８と、記事ＤＢ１１０および評価ＤＢ１１１へのアクセスを制御するＤＢアクセス部１０９とを備えている。
【００２３】
図２は記事ＤＢ１１０および評価ＤＢ１１１の例を示す図である。
【００２４】
図２において、記事ＤＢ１１０は、「記者ＩＤ」（記者のユーザＩＤ）、「記事ＩＤ」（記事を識別するユニークなＩＤ）、「記事ＵＲＬ」（記事の存在するアドレス）、「タグ」（検索用のキーワード）、「投稿日」（記事の投稿日）、「編集者ＩＤ」（編集者のユーザＩＤ）、「編集ページＵＲＬ」（掲載される電子新聞のアドレス）、「タイトル」（記事のタイトル）、「写真の有無」（記事に写真が含まれるか否か）、「掲載日」（記事の含まれる電子新聞の掲載日）、「連絡履歴」（記者と編集者の間の連絡履歴）、「アクセス数」（記事の含まれる電子新聞へのアクセス数）等の項目を含んでいる。
【００２５】
また、評価ＤＢ１１１は、「被評価者ＩＤ」（評価される記者もしくは編集者のユーザＩＤ）、「評価者ＩＤ」（評価する記者、編集者、読者のユーザＩＤ）、「評価ポイント」（評価に際して付されるポイント）、「コメント」（評価に際して付記されるコメント）等の項目を含んでいる。
【００２６】
<動作>
図３はシステムの全体的な処理の流れを示す図である。
【００２７】
図３において、フェーズＦ１として記者から記事の投稿が行われる。記者は、ＰＣや携帯電話から記事の投稿が行えるほか、自分の記事が掲載されるブログ（ＢＬＯＧ）からもＲＳＳ（RDF(Resource Description Framework) Site Summary、Rich Site Summary、Really Simple Syndication）を介して記事の投稿を行うことができる。投稿された記事は記事投稿受付部１０２（図１）で受け付けられ、記事ＤＢ１１０に格納される。
【００２８】
図４は記者がクライアント３Ａから記事を投稿する際のクライアント３Ａに表示される画面例を示す図であり、記者用ページにおいて「記事を投稿する」ボタン３０１をクリックすることにより表示される画面である。この画面では、記事見出しエリア３０２において記事見出し（タイトル）を入力し、画像の掲載エリア３０３において画像の指定等を行い、記事本文エリア３０４において記事本文の入力を行うことができる。また、図５はタグ付けの画面例を示す図であり、タグエリア３０５において記事に関連するタグを設定することができる。タグは記事から自動的に抜き出され（例えば５個）、記者はこれに追加したり削除したりすることができる。
【００２９】
図３に戻り、フェーズＦ２として、記事ＤＢ１１０に蓄積された記事の中から編集者による記事選択が行われる。
【００３０】
図６は編集者による記事選択に際して所望の記事を探すための記事検索の画面例を示す図であり、編集者用ページにおいて「記事を探す」ボタン３１１をクリックすることにより表示される画面である。この画面では、検索指示エリア３１２において検索のキーワード等を設定して検索を指示することで、検索結果表示エリア３１３にヒットした記事の一覧が表示される。また、タグ検索エリア３１４に、同エリアの下部に表示されるタグを参考にタグを入力して検索を指示することで、検索結果表示エリア３１３にヒットした記事の一覧が表示される。記事の検索は、図１における記事検索部１０３により、ＤＢアクセス部１０９を介して記事ＤＢ１１０にアクセスすることで行われる。
【００３１】
図７Ａおよび図７Ｂは記事採用の画面例を示す図であり、図６の記事の一覧から一の記事をクリックすることにより表示される記事詳細画面において記事採用を行う。図７Ａおよび図７Ｂは連続するページである。この画面では、記事内容エリア３２１から記事詳細を確認できるとともに、「選択する」ボタン３２２により記事の選択を指示することができ、「新聞レイアウターへ」ボタン３２３により編集画面に移行することができる。また、評価・コメントエリア３２４により評価・コメントの入力を行うことができる。評価・コメントは評価部１０７（図１）により管理される。
【００３２】
図３に戻り、投稿のフェーズＦ１および記事選択／編集のフェーズＦ２と並行して、フェーズＦ４として記者と編集者の間で連絡をとりあうことができる。記者と編集者の間の連絡は記者編集者間連絡部１０５（図１）によって行われる。図３では、記者から編集者に「こんな記事書いたよ〜！」という連絡が行われ、編集者から記者に「こういう記事が欲しい！」といった記事のオーダがされ、編集者から記者に「記事を採用したよ！」といった記事の評価がされる例が示されている。図８は編集者と記者の間の連絡の画面例を示す図であり、記者（編集者）ページから「メッセージボックス」ボタン３３１をクリックすることにより表示される画面である。図８においては、「メッセージの作成」ボタン３３２をクリックすることでメッセージの作成・送信を行うことができる。また、フォルダ表示エリア３３３から受信箱、送信箱、さらにはその下位フォルダを選択することで、送受信したメッセージを選択することができる。図では受信箱を選択したことで受信箱表示エリア３３４に受信メッセージが表示された状態を示している。
【００３３】
図３に戻り、フェーズＦ２では、記事選択に続き、電子新聞の編集が行われる。編集は記事編集部１０４（図１）により行われる。
【００３４】
図９は電子新聞の定型テンプレートの例を示す図であり、テンプレート選択エリア３４１から希望するテンプレートを選択することができる。図１０は定型テンプレート内の表示モジュール選択の画面例を示す図であり、モジュール選択エリア３４２から電子新聞を構成する各表示モジュールの特性を設定することができる。
【００３５】
図１１は記事編集の画面例を示す図であり、編集者用ページにおいて「レイアウトする」ボタン３４３をクリックすることにより表示される画面である。この画面では、仮採用記事リスト３４４から表示モジュール３４５に記事をドラッグすることにより記事の貼り付けを行うことができるとともに、表示モジュール３４６からゴミ箱３４７に記事をドラッグすることにより記事の削除を行うことができる。
【００３６】
図３に戻り、記事選択／編集のフェーズＦ２は本番アップにより完了し、公開のフェーズＦ３に移行する。電子新聞の公開は電子新聞公開部１０６（図１）により行われる。図３において、公開後のフェーズＦ５においては、読者から編集者への新聞に対するコメント（感想・要望）、編集者から読者へのコメント（コメントに対するコメント）、読者から記者への記事の評価・コメントやトラックバックを行うことができる。
【００３７】
図１２は公開される電子新聞の例を示す図である。図１３Ａおよび図１３Ｂは記事詳細ページの画面例を示す図であり、図１２における各記事を選択することにより表示される画面である。図１３Ａおよび図１３Ｂは連続するページである。この画面では、記事内容の他に、記者情報エリア３５１により記者の顔写真やプロフィールを確認することができ、コメントエリア３５２によりコメントを参照することができ、トラックバックエリア３５３によりトラックバックを参照することができる。また、評価・コメントエリア３５４により読者からの評価・コメントの入力を行うことができる。評価・コメントは評価部１０７（図１）により管理される。
【００３８】
一方、図１における評価部１０７は、各当事者が意図的に行う評価とは別に、所定の条件に合致する場合に自動的にポイントの付与を行う。図１４は記者および編集者へのポイント付与の例を示す図であり、「記事が月内連続５日間で採用されたら記者にプラス５」「編集者が記事を採用すると記者にプラス１」といった条件を定めてある。
【００３９】
また、図１におけるアクセス数・足あと管理部１０８は、公開された電子新聞への読者のアクセス数を管理するとともに、記者と編集者の間の連絡履歴を足あととして管理する。図１５はアクセス数の画面例を示す図であり、図１６は足あとの画面例を示す図である。
【００４０】
<総括>
以上説明したように、本発明のユーザ主導型電子新聞発行システムにあっては、電子新聞の発行に必要なリソースを個人ユーザに提供し、記者と編集者の役割を持たせることで、複数の一般ユーザが記事の作成から編集までを一貫して行うことが可能となり、完全にユーザの視点に立った電子新聞とすることができる。
【００４１】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００４２】
【図１】本発明の一実施形態にかかるユーザ主導型電子新聞発行システムの構成例を示す図である。
【図２】記事ＤＢおよび評価ＤＢの例を示す図である。
【図３】システムの全体的な処理の流れを示す図である。
【図４】記事投稿の画面例を示す図である。
【図５】タグ付けの画面例を示す図である。
【図６】記事検索の画面例を示す図である。
【図７Ａ】記事採用の画面例を示す図（その１）である。
【図７Ｂ】記事採用の画面例を示す図（その２）である。
【図８】編集者と記者の間の連絡の画面例を示す図である。
【図９】電子新聞の定型テンプレートの例を示す図である。
【図１０】表示モジュール選択の画面例を示す図である。
【図１１】記事編集の画面例を示す図である。
【図１２】電子新聞の例を示す図である。
【図１３Ａ】記事詳細ページの画面例を示す図（その１）である。
【図１３Ｂ】記事詳細ページの画面例を示す図（その２）である。
【図１４】記者および編集者へのポイント付与の例を示す図である。
【図１５】アクセス数の画面例を示す図である。
【図１６】足あとの画面例を示す図である。
【符号の説明】
【００４３】
１            電子新聞発行装置
１０１        通信制御部
１０２        記事投稿受付部
１０３        記事検索部
１０４        記事編集部
１０５        記者編集者間連絡部
１０６        電子新聞公開部
１０７        評価部
１０８        アクセス数・足あと管理部
１０９        ＤＢアクセス部
１１０        記事ＤＢ
１１１        評価ＤＢ
２            ネットワーク
３Ａ〜３Ｃ    クライアント
【図１】
2008052426.tif 000003
【図２】
2008052426.tif 000004
【図３】
2008052426.tif 000005
【図４】
2008052426.tif 000006
【図５】
2008052426.tif 000007
【図６】
2008052426.tif 000008
【図７Ａ】
2008052426.tif 000009
【図７Ｂ】
2008052426.tif 000010
【図８】
2008052426.tif 000011
【図９】
2008052426.tif 000012
【図１０】
2008052426.tif 000013
【図１１】
2008052426.tif 000014
【図１２】
2008052426.tif 000015
【図１３Ａ】
2008052426.tif 000016
【図１３Ｂ】
2008052426.tif 000017
【図１４】
2008052426.tif 000018
【図１５】
2008052426.tif 000019
【図１６】
2008052426.tif 000020